(57)【要約】
【課題】  外観が簡潔でボルトが露出していない１種の飾り板を有するリールを提供する。
【解決手段】  主体２０は１個の連接部２２と１個の套合部とを有し、連接部２２は１個の釣竿１２と連接するのに用いられる。ハンドル４０は主体２０上に回転可能に設けられている。ローター４２は１個の軸孔４４を有し、主体２０の套合部に套設される。ローター４２はまた套合部をその中に覆い包んでいる。スプール４６は主体２０上に設けられ、釣糸を巻回できるようになっている。飾り板５０は主体２０の１部分を覆い包んでいる。飾り板５０は２個の支持腕５２を有し、２個の支持腕５２はそれぞれその末端が主体２０の套合部に接設され、これにより飾り板５０を主体２０と結合し、リール１０の外観を簡潔にし、ボルトが露出しないようにしている。
【選択図】    図１
0003100916.tif 000002
【実用新案登録請求の範囲】
【請求項１】
１個の連接部と１個の套合部とを有し、該連接部は１個の釣竿と連接するのに用いられる１個の主体（ｒｅｅｌ  ｂｏｄｙ）と、
該主体上に回転可能に設けられる１個のハンドル（ｈａｎｄｌｅ）と、
１個の軸孔を有し、該主体の套合部に套設され、また該套合部をその中に覆い包む１個のローター（ｒｏｔｏｒ）と、
該主体上に設けられ、釣糸を巻回可能である１個のスプール（ｓｐｏｏｌ）と、
該主体の１部分を覆い包む１個の飾り板であって、２個の支持腕を有し、該２個の支持腕はそれぞれその末端が該主体の套合部に接設され、これにより該飾り板を該主体と結合する１個の飾り板と、
を備えることを特徴とする飾り板を有するリール。
【請求項２】
該飾り板の２個の支持腕には、それぞれ１個の通孔が設けられ、該主体の套合部には２個のねじ孔が設けられ、２個のボルトをそれぞれ該２個の通孔に穿設した後、該２個のねじ孔中に螺設し、該飾り板を該主体と結合することを特徴とする請求項１記載の飾り板を有するリール。
【請求項３】
該飾り板の２個の支持腕は、それぞれ１個のフック部を有し、該主体の套合部は２個の嵌孔を有し、該２個の支持腕のフック部が嵌入可能になっており、これにより該飾り板と該主体とを結合することを特徴とする請求項１記載の飾り板を有するリール。
【請求項４】
該主体外縁には、１個の凹部が設けられ、該飾り板がその上を覆うようになっていることを特徴とする請求項１記載の飾り板を有するリール。
【請求項５】
該飾り板は、複数の孔を有することを特徴とする請求項１記載の飾り板を有するリール。
【請求項６】
１個の連接部と、１個の套合部とを有し、該連接部は１個の釣竿と連接するのに用いられ、両側にそれぞれ１個の嵌孔が設けられている１個の主体と、
該主体上に回転可能に設けられる１個のハンドルと、
１個の軸孔を有し、該主体の套合部に套設され、また、該套合部をその中に覆い包む１個のローターと、
該主体上に設けられ、釣糸を巻回可能である１個のスプールと、
該主体の１部分を覆い包む１個の飾り板であって、２個の支持腕を有し、該２個の支持腕の末端には該嵌孔中に嵌入可能である１個のフック部がそれぞれ設けられ、これにより該飾り板を該主体と結合する１個の飾り板と、
を備えることを特徴とする飾り板を有するリール。
【請求項７】
該主体外縁には、１個の凹部が設けられ、該飾り板がその上を覆うようになっていることを特徴とする請求項６記載の飾り板を有するリール。
【請求項８】
該飾り板は、複数の孔を有することを特徴とする請求項６記載の飾り板を有するリール。
【考案の詳細な説明】
【技術分野】
【０００１】
本考案は、釣用具に関し、特に、外観が簡潔でボルトが露出していない１種の飾り板を有するリールに関する。
【背景技術】
【０００２】
従来のリールは、１個の主体、該主体内部に設けられ、かつ１個のハンドルにより駆動される１個の伝動構造、該主体に設けられ、該伝動構造により駆動されて回転する１個のローターおよび該主体に設けられ、該伝動構造により駆動されて軸方向に往復運動する１個のスプールを含む。一般の伝動構造はボルトにより該主体内部に固設され、かつ該主体は一般に２個のケースが多数個のボルトにより結合されている。このため、該主体の外観には多数個のボルト頭が見られ、リールの外観の整合性に影響する。現在、市場では飾り板を利用して主体を覆い包み、これらのボルト頭を隠している物があるが、該飾り板自身がボルトにより該主体と結合されるため、外観上、ボルト頭が露出するのは避けられない。
【考案の開示】
【考案が解決しようとする課題】
【０００３】
上述の欠点に鑑み、本考案の主要な目的は、外観が簡潔でボルトが露出していない１種の飾り板を有するリールを提供することである。
【課題を解決するための手段】
【０００４】
前述の目的を達成するために、本考案が提供するリールは、１個の主体、１個のハンドル、１個のローター、１個のスプールおよび１個の飾り板を含み、その内、該主体は１個の連接部と１個の套合部とを有し、該連接部は１個の釣竿と連接するのに用いられる。該ハンドルは該主体上に回転可能に設けられている。該ローターは１個の軸孔を有し、該主体の套合部に套設される。該ローターはまた該套合部をその中に覆い包んでいる。該スプールは該主体上に設けられ、釣糸を巻回できるようになっている。該飾り板は該主体の１部分を覆い包んでいる。該飾り板は２個の支持腕を有し、該２個の支持腕はそれぞれその末端が該主体の套合部に接設され、これにより該飾り板を該主体と結合し、該リールの外観を簡潔にし、ボルトが露出しないようにしている。
【考案を実施するための最良の形態】
【０００５】
本考案の特徴をさらにご理解いただくために、ここに以下の３つの比較的よい実施例をあげ、図面に基づき以下の通り説明する。
図１から図３をご参照いただきたい。本考案の比較的よい第１実施例が提供する飾り板を有するリール１０は、１個の主体２０、１個のハンドル４０、１個のローター４２、１個のスプール４６および１個の飾り板５０を含む。
【０００６】
該主体２０は１個の連接部２２、１個の套合部２４および１個の凹部２８を有する。該連接部２２はＴ形を呈し、１個の釣竿１２と連接するのに用いられる。該凹部２８は該主体２０外縁に位置し、その形状は該飾り板５０と互いに補い合い、該飾り板５０を覆いかぶせるのに用いる。該套合部２４は短円柱状を呈し、かつ該主体２０の前端に位置する。該套合部２４はその左右に２個のねじ孔２６を有する。この他、該主体２０の凹部２８区域内には多数のボルト２９が露出しており、これらのボルト２９は該主体２０を組付けたり、あるいはその他の部品、例えば、伝動構造（図中非表示）を該主体２０内部に固定するのに用いる。
【０００７】
該ハンドル４０は該主体２０上に回転可能に設けられており、該主体２０内部の伝動構造を駆動するのに用いる。該ローター４２は１個の軸孔４４を有し、該主体２０の套合部２４に套設される。該ローター４２は該套合部２４をその中に覆い包み、該套合部２４が該ローター４２中に隠れるようにしている。該ローター４２は該伝動構造により駆動されて回転する。該スプール４６は該主体２０上に設けられ、釣糸４８を巻回できるようになっている。該スプール４６は該伝動構造により駆動されて前後往復運動をする。
【０００８】
該飾り板５０は該主体２０の凹部２８に覆設され、該飾り板５０の表面が該主体２０の表面とそろうようになっている。該飾り板５０は２個の支持腕５２を有し、該２個の支持腕５２の末端にはそれぞれ１個の通孔５４が設けられ、該ねじ孔２６と対応しており、２個のボルト５６を該２個の通孔５４に穿設した後、該２個のねじ孔２６中に螺設し、該飾り板５０を該主体２０と結合することができる。
【０００９】
該飾り板５０と該主体２０とを結合した後、該主体２０の外側に露出するボルト２９はすべて該飾り板５０によって隠され、かつ該飾り板５０を固定するためのボルト５６もまた該ローター４２によって隠されるので、該リール１０の主体２０はボルトが露出していない状態になり、その外観は極めて簡潔であり、該飾り板５０上に開けられた多数個の大小異なる円形の孔５８は該主体２０に極めてよい装飾効果をもたらすので、効果的に従来構造の欠点を改善することができ、これにより本考案の目的を達成する。
【００１０】
実際の製造時においては、飾り板と主体との結合方法は多種の変化があり得る。図４から図５に示されるのは、本考案の比較的よい第２実施例が提供するリール６０であるが、該リール６０主体６２の套合部６４には２個の嵌孔６６が設けられ、その飾り板６８の２個の支持腕７０にはそれぞれ１個のフック部７２が設けられ、該２個の嵌孔６６中に嵌入でき、これにより該飾り板６８を該主体６２と結合することができる。この構造においては、該飾り板６８と該主体６２との接合点はローター（図中非表示）により隠されるので、簡潔で上品な外観を呈することができる。事実上、飾り板と主体とがどのような方法で結合されていようとも、二者の接合点が主体の套合部に位置し、ローターによって隠されるのであれば、本考案が申請する特許範囲に含まれる。
【００１１】
これ以外に、本考案の主旨にのっとり、飾り板と主体とはまた図６および図７に示される方法で結合してもよい。これは、本考案の比較的よい第３実施例が提供するリール８０であるが、該リール８０主体８２の両側にはそれぞれ１個の嵌孔８４が設けられ、その飾り板８６の２個の支持腕の末端にはそれぞれ１個のフック部８８が設けられ、該嵌孔８４中に嵌入でき、これにより該飾り板８６を該主体８２と結合する。該飾り板８６は該主体８２上のナット９０を隠すことができるだけでなく、飾り板８６と主体８２との接合点は外観に影響するボルトも無く、同様に本考案が申請する特許範囲に含まれる。
【図面の簡単な説明】
【００１２】
【図１】本考案の第１実施例による飾り板を有するリールを示す正面図である。
【図２】本考案の第１実施例による飾り板を有するリールを示す部分立体図である。
【図３】本考案の第１実施例による飾り板を有するリールを示す部分立体分解図である。
【図４】本考案の第２実施例による飾り板を有するリールを示す部分立体図である。
【図５】本考案の第２実施例による飾り板を有するリールを示す部分立体分解図である。
【図６】本考案の第３実施例による飾り板を有するリールを示す部分立体図である。
【図７】本考案の第３実施例による飾り板を有するリールを示す部分立体分解図である。
【符号の説明】
【００１３】
１０  リール、１２  釣竿、２０  主体、２２  連接部、２４  套合部、２６  ねじ孔、２８  凹部、２９  ボルト、４０  ハンドル、４２  ローター、４４  軸孔、４６  スプール、４８  釣糸、５０  飾り板、５２  支持腕、５４  通孔、５６  ボルト、５８  孔、６０  リール、６２  主体、６４  套合部、６６  嵌孔、６８  飾り板、７０  支持腕、７２  フック部、８０  リール、８２  主体、８４  嵌孔、８６  飾り板、８８  フック部、９０  ナット
【図１】
0003100916.tif 000003
【図２】
0003100916.tif 000004
【図３】
0003100916.tif 000005
【図４】
0003100916.tif 000006
【図５】
0003100916.tif 000007
【図６】
0003100916.tif 000008
【図７】
0003100916.tif 000009